(57)【要約】【課題】ブラシの回転によって洗浄水を周囲に飛散させることなく床面を洗浄できると共に、洗浄水をブラシ部分に充分に貯留させることにより、洗浄水をブラシに効果的に作用させて、優れた洗浄効果を発揮できるように工夫した床面洗浄機用ブラシを提供する。【解決手段】モータ３によって回転されるブラシ取付盤１５の底面に、ブラシ毛材を環状に植毛して構成したブラシ部材１７と、このブラシ部材の外周を囲むように環状に構成したパッド部材１８を設ける。【選択図】      図１
2004236716.tif 000002
【特許請求の範囲】
【請求項１】
ブラシを回転させて床面を洗浄する床面洗浄機に用いるブラシであって、
モータによって回転される円盤状のブラシ取付盤の底面に、ブラシ取付盤の円周方向に沿って多数のブラシ毛材を環状に植毛して構成したブラシ部材と、このブラシ部材の外周を囲むように全体をブラシ部材よりも大きな環状に構成したパッド部材を設けたことを特徴とする床面洗浄機用ブラシ。
【請求項２】
ブラシ取付盤の底面側に、環状に形成したブラシ部材とパッド部材を同心円状に設けたことを特徴とする請求項１に記載の床面洗浄機用ブラシ。
【請求項３】
ブラシ取付盤の底面、又は、ブラシ取付盤の底面に取付けたパッド取付台の底面に対して、パッド部材を着脱交換自在に取付けたことを特徴とする請求項１又は２に記載の床面洗浄機用ブラシ。
【請求項４】
環状に形成したパッド部材の一部に、切り離し部を設けたことを特徴とする請求項１、２又は３に記載の床面洗浄機用ブラシ。
【請求項５】
環状に形成したパッド部材の全体を、複数のブロックに分割形成したことを特徴とする請求項１、２又は３に記載の床面洗浄機用ブラシ。
【請求項６】
ブラシ部材に対して洗浄液又は洗浄水を給水自在に構成したことを特徴とする請求項１、２、３、４又は５に記載の床面洗浄機用ブラシ。
【発明の詳細な説明】
【０００１】
【発明の属する技術分野】
本発明は、ブラシをモータで高速回転することにより、床面の洗浄を行う床面洗浄機の技術分野に属するものであって、具体的には、床面洗浄機に用いて好適なブラシに関するものである。
【０００２】
【従来の技術】
洗浄水（又は洗浄液）を給水しながら、或は、床面に散布しながらブラシを回転して床面の洗浄を行う床面洗浄機では、ブラシの回転によって洗浄水がブラシの外周に向けて飛散されるため、周辺の床面や壁面等を汚してしまったり、洗浄水が飛ばされてしまうことにより、洗浄水とブラシによる洗浄効果が低下してしまう問題がある。
そこで従来は、ブラシの周囲を水はね防止帯（バンド）で囲むことによって、ブラシの回転によって洗浄水が周辺に飛散しないようにしていた。（例えば特許文献１参照）
【０００３】
【特許文献１】
特開平８−３３５９７号公報
【０００４】
【発明が解決しようとする課題】
しかし、特許文献１に見られるようにブラシの周囲を水はね防止帯で囲んだだけでは、洗浄水の周辺への飛散を防止できても、洗浄水をブラシ部分に貯留してこれをブラシに効果的に作用させ、ブラシの洗浄効果を遺憾無く発揮させるには充分な構成とはいえず、その改善が望まれていた。
【０００５】
本発明は上述した点に鑑み発明されたものであって、その目的は、ブラシの回転によって洗浄水を周囲に飛散させることなく床面を洗浄できると共に、洗浄水をブラシ部分に充分に貯留させることにより、洗浄水をブラシに効果的に作用させて、優れた洗浄効果を発揮できるように工夫した床面洗浄機用ブラシを提供することである。
【０００６】
更に本発明の他の目的は、平滑な床面や、ある程度ざらついた床面、目地を持つタイル面、或は、平滑面とざらざら面とが混在する床面といった各種の床面に対して、ブラシを交換することなく洗浄を可能にした床面洗浄機用ブラシを提供することである。
【０００７】
【課題を解決するための手段】
（１）  上記の目的を達成するために、本発明に係る床面洗浄機用ブラシは前記請求項１に記載の如く、ブラシを回転させて床面を洗浄する床面洗浄機に用いるブラシであって、モータによって回転される円盤状のブラシ取付盤の底面に、ブラシ取付盤の円周方向に沿って多数のブラシ毛材を環状に植毛して構成したブラシ部材と、このブラシ部材の外周を囲むように全体をブラシ部材よりも大きな環状に構成したパッド部材を設けたことを特徴とするものである。
【０００８】
（２）  また、本発明は前記請求項２に記載の如く、ブラシ取付盤の底面側に、環状に形成したブラシ部材とパッド部材を同心円状に設けたことを特徴とするものである。
【０００９】
（３）  また、本発明では前記請求項３に記載の如く、ブラシ取付盤の底面、又は、ブラシ取付盤の底面に取付けたパッド取付台の底面に対して、パッド部材を着脱交換自在に取付けたことを特徴とするものである。
【００１０】
（４）  また、本発明では前記請求項４に記載の如く、環状に形成したパッド部材の一部に、切り離し部を設けたことを特徴とするものである。
【００１１】
（５）  また、本発明では前記請求項５に記載の如く、環状に形成したパッド部材の全体を、複数のブロックに分割形成したことを特徴とするものである。
【００１２】
（６）  更に本発明では、前記請求項６に記載の如く、ブラシ部材に対して洗浄液又は洗浄水を給水自在に構成したことを特徴とするものである。
【００１３】
上記（１）〜（６）で述べた本発明の手段によれば、洗浄水（洗浄液）を散布／又は供給しながらブラシを回転させて床面を洗浄する際に、洗浄水はブラシの回転によりブラシの外周に向けて飛散させられるが、本発明のブラシにおいては、多数のブラシ毛材を囲むが如く外周にパッドが取付けられている関係上、飛散した洗浄水をパッドが捉えて外側への飛散を防止すると共に、パッド内に洗浄水を吸収し、又、パツド内の洗浄水をブラシ部材に供給する働きを行うことになり、その結果、ブラシ部材に洗浄水が充分に行き渡り、ブラシの洗浄を一層効果的にするものである。従って、上記特許文献１に記載されている如く、洗浄水が周辺に飛散しないようにブラシの周囲にバンドを取付けるようにする必要もなく、コストが低減できると共に、洗浄効果も上がる結果になる。
【００１４】
また、洗浄水を充分に貯留した状態、即ち、ブラシに洗浄水を充分に行き渡らせた状態で洗浄を行うため、平滑な床面であれ、ある程度ざらついた床面であれ、又、例えば目地を持つタイル面や、平滑面とざらざら面とが混在する床面であれ、ブラシを交換することなく、対応が可能となる。
【００１５】
尚、パッド部材は使用するにつれて摩耗し、その厚さが薄くなり、ブラシとの高さにおいて段差を生ずる事にもなるが、ブラシは使用時、つまり回転時にはブラシ毛材は回転方向に傾斜する姿勢で床面に作用するものであるから、使用時においてはブラシ毛材がパッドと床面との間に入り込んでパッドの洗浄作用を妨害するようなことにはならない。従って、ブラシ毛材先端とパッド高さとの段差が生ずることによってブラシの洗浄効果が損なわれることにはならず、長い時間その洗浄効果を維持することができる。
【００１６】
従って、ブラシ部材とパッド部材との構成による本発明に係るブラシの効果は、回転ブラシにおいてその効果を発揮するものであり、他のブラシ、例えば往復運動を行うブラシにおいては、パッドの摩耗時にはブラシ毛材がパッドと床面との間に入り込んでしまって効果が損なわれる場合があり、回転ブラシと言った特定されたブラシに限定して適用されるものである。尚、ブラシの長さとパッドの厚みは、その比率が約２：１迄は問題ないことが確認されている。
【００１７】
更に上記本発明に係る手段によれば、パッド部材は、上記円盤状ブラシ取付盤の下面にあって、上記円盤円周に沿って植毛されたブラシ毛材の外周側に着脱自在に構成されているため、パッドの摩耗によるブラシ性能の低下を招くことがなく、パッドの交換によってそのブラシ性能を持続的に維持することができる。
【００１８】
また、本発明で用いる全体を環状に構成したパッド部材は、パッド取付台に対して切り離し部の部分で切り離して着脱交換したり、或は、ブロック別に切り離して着脱交換できるため、その交換作業を極めて簡単に行うことができる。
【００１９】
【発明の実施の形態】
以下に、上述した本発明に係る床面洗浄機用ブラシの実施の形態を図面と共に説明すると、図１は本発明に係るブラシを使用する床面洗浄機の一例を示した側面図で、図２はその正面図、図３はモータケーシングの内部構造を説明した正断面図であって、これ等の図面に於いて夫々符号１で全体的に示した床面洗浄機は、モータ３を備えたモータケーシング２と、このモータケーシング２の底部に設けた回転室４と、モータケーシング２の後部に上下回動自在（角度調節自在）に取付けた操作ハンドル５と、移動用の車輪８を備えている。また、符号１０で全体的に示したのは本発明に係るブラシであって、上記のモータ３によって高速回転される仕組に成っている。
【００２０】
操作ハンドル５には洗浄水（又は洗浄液）用のタンク５Ａが取付けられ、又、ハンドル５の先端部には運転操作用の各種スイッチを備えた操作ボックス６と、運転用ハンドル７が設けられている。図１において、９Ａは操作ハンドル５の取付板、９Ｂは操作ハンドルを任意の角度に係止する係止爪、９はこの係止を解除して操作ハンドル５の回動をフリーにするフットレバーを示す。更に、５Ｂはタンク５Ａ内の洗浄水を後述するブラシ部材側に給水する給水ホースである。
【００２１】
次ぎに、図３において３Ａはモータ３のコイル、３Ｂはモータ３の回転軸、３Ｃはモータ３の回転を減速して上記ブラシ１０側に伝達する遊星歯車構造の減速機、１２は軸受け用のベアリング、１１はこれ等減速機３Ｃ及びベアリング１２を収めた内部ケース体で、１１Ｈは底部の支持フランジを示す。また、１４は上記回転軸３Ｂの下端部に取付けたネジ３Ｋの締付けによって、回転軸３Ｂと一体回転するように取付けた上記ブラシ１０の取付金具で、この取付金具１４の底面部の外周部には円周方向に間隔をあけて複数のブラシ取付用のカム溝１４Ｔ…が凹設されている。
【００２２】
図４は上記ブラシ１０の底面図、図５はその平面図、図６はその一部断面正面図であって、これ等の図面に於いて、１５は全体を中心部に大きな穴を有する円盤状に形成したブラシ取付盤、１３はこのブラシ取付盤１５の上面に取付ネジ１３Ａ…を用いて同心的に取付けた締付け金具で、この締付け金具１３のセンターにも嵌込穴１３Ｈ（図４）があけられていて、この嵌込穴１３Ｈに上記取付金具１４の底面部分が上から嵌込み自在に構成されている。
【００２３】
更に図中、１３Ｓ…は上記締付け金具１３の内側縁に円周方向に間隔をあけて突設したテーパー構造のフック、１３Ｓａはストッパーで、これ等各フック１３Ｓ…は、上記取付金具１４の底面部を締付け金具１３の嵌込穴１３Ｈに嵌込んで、ブラシ取付盤１５をモ−タ３の回転軸３Ｂの回転方向とは逆の方向に回転すると、上記の各フック１３Ｓ…が取付金具１４に形成した各カム溝１４Ｔ…内に嵌込み係合されて、ブラシ取付盤１５をこれ等締付け金具１３と取付金具１４を介して、前記モータ３の回転軸３Ｂの下端部側に取付けることができる仕組に成っている。
【００２４】
尚、上記各フック１３Ｓとカム溝１４Ｔは、モータ３によってブラシ取付盤１５が回転されるに従ってその嵌込み係合状態が次第に強くなるようにテーパー状に形成されている。また、これ等フック１３Ｓとカム溝１４Ｔの係合状態は、ブラシ取付盤１５を逆方向に回転することによって容易に取外して、ブラシを交換することができる仕組に成っている。
【００２５】
更に上記の各図に於いて、１７は上記ブラシ取付盤１５の底面に多数のブラシ毛材を円周方向に沿って環状（リング状又はサークル状）に植毛することによって構成したブラシ部材、１６はこのブラシ部材１７の周囲を囲むように、上記ブラシ取付盤１５の底面に接着固定１５Ｘした断面略環状（リング状又はサークル状）のパッド取付台、１８はこのパッド取付台１６の底面に着脱交換自在に取付けたパッド部材で、このパッド１８も上記ブラシ部材１７の周囲を囲むように全体が断面略環状（リング状又はサークル状）に造られていて、ブラシ部材１７が床面ＦＲに接して洗浄回転する時に、このパッド部材１８の底面も床面ＦＲに接しながら回転する仕組に成っている。
【００２６】
また、上記の如く全体が環状に形成されたパッド部材１８は、図４で仕切り線１８′…にて示すように円周方向に複数のブロックに形成され、且つ、これ等各ブロックが上記パッド取付台１６の底面に対して、接着・剥離自在なテープ１８Ｘ（図６）を用いて各ブロック毎に着脱交換自在に取付けられている。尚、このパッド部材１８の一部に切り離し部を設ける場合は、上記仕切り線１８′を一本だけ設けて、これを切り離し部とすればよい。
【００２７】
図６に於いて１６Ａと１８Ａはパッド取付台１６とパッド部材１８の各中央部分に大きく形成された穴を示す。また、図３乃至図６に於いて１５′…は前記給水ホース５Ｂの給水口５Ｂ′より給水される洗浄水又は洗浄液を、上記ブラシ部材１７側に供給するために上記ブラシ取付盤１５に設けた給水穴を示す。尚、図面ではパッド部材１８がパッド取付台１６の底面に取付けられているが、これをブラシ取付盤１５の底面側に直接着脱交換自在に取付けるようにしてもよく、その選択は任意とする。
【００２８】
本発明に係る床面洗浄機用ブラシは以上述べた如き構成であるから、ブラシ部材１７とパッド部材１８から成るブラシ１０を図示の如くモータ３の回転軸３Ｂ側に取付けて、これを回転して床面ＦＲを洗浄すれば、ブラシ部材１８の回転による洗浄水（又は洗浄液）の飛散を周囲のパッド部材１８が防止すると共に、このパッド部材１８が洗浄水を吸収し、且つ、ブラシ部材１７に行き渡らせる作用を発揮するため、この充分な洗浄水によってブラシ部材１７による床面ＦＲの洗浄をより効果的に行うことができる。
【００２９】
また、全体を略環状に形成したブラシ部材１７が、充分に洗浄水が給水された状態、即ち、充分に洗浄水が存在する状態で床面ＦＲの洗浄を行って、優れた洗浄効果を発揮できるため、床面の状態に応じてその都度ブラシを交換する必要がなく、あゆる床面の汚れにも容易に対応できる機能性を備えている。
【００３０】
尚、図面には本発明を実施する床面洗浄機として、操作ハンドル５を手で持って操作しながらブラシ１０を回転して床面の洗浄を行うタイプのものが示されているが、これは実施の一例であって、例えば、モ−タで車輪を回転して機体を走行させながら、ブラシ１０を回転して床面の洗浄を行う所謂自走式タイプの床面洗浄機に本発明のブラシを使用してもよく、これ等床面洗浄機の機種の選択は任意とする。
【００３１】
【発明の効果】
以上述べた次第で、本発明に係る床面洗浄機用ブラシによれば、洗浄水又は洗浄液を周囲に飛散させることなく優れた洗浄効果を発揮できると共に、状況が異なる床面の汚れをブラシを交換することなくすばやく洗浄できる利点を発揮できるものであって、パッド部材を容易に交換できるようにした点と相俟って、各種タイプの床面洗浄機に用いてまことに好適なものである。
【図面の簡単な説明】
【図１】本発明に係るブラシを備えた床面洗浄機の一例を示した側面図。
【図２】図１に示した床面洗浄機の正面図。
【図３】図１に示した床面洗浄機の内部構造を説明した正断面図。
【図４】本発明に係る床面洗浄機用ブラシの底面図。
【図５】本発明に係る床面洗浄機用ブラシの平面図。
【図６】本発明に係る床面洗浄機用ブラシの一部断面正面図。
【符号の説明】
１              床面洗浄機
３              モータ
３Ｂ            回転軸
１０            ブラシ
１５            ブラシ取付盤
１６            パッド取付台
１７            ブラシ部材
１８            パッド部材
１８′          仕切り線又は切り離し部
【図１】
2004236716.tif 000003
【図２】
2004236716.tif 000004
【図３】
2004236716.tif 000005
【図４】
2004236716.tif 000006
【図５】
2004236716.tif 000007
【図６】
2004236716.tif 000008